(57)【要約】【課題】密封容器により貯蔵物の乾燥を防止するとともに隔離室の側方の貯蔵物の凍結を防止できる冷蔵庫を提供する。【解決手段】冷蔵室２と、冷蔵室２の下部に設けられるとともに密閉容器２３ａが出し入れされる第１隔離室２３と、冷気を生成する冷却器１７と、第１隔離室２３に冷気を吐出する第１吐出口３２ａと第１吐出口３２ａの下流で冷蔵室２に冷気を吐出する第２吐出口３２ｂとを有する冷気通路３２と、冷蔵室２から冷気を流出させる流出口３３ａとを備え、第１吐出口３２ａから吐出された冷気により密閉容器２３ａ内の貯蔵物を間接冷却して第１隔離室２３を周囲の冷蔵室２内よりも低温に維持する冷蔵庫１において、流出口３３ａを第１隔離室２３の側方に配置した。【選択図】図３
2014059092.tif 000002
【特許請求の範囲】
【請求項１】
貯蔵物を冷蔵保存する冷蔵室と、前記冷蔵室の下部に設けられるとともに密閉容器が出し入れされる第１隔離室と、冷気を生成する冷却器と、前記冷却器で生成した冷気が流通するとともに第１隔離室に冷気を吐出する第１吐出口と第１吐出口の下流で前記冷蔵室に冷気を吐出する第２吐出口とを有する冷気通路と、前記冷蔵室から冷気を流出させる流出口とを備え、第１吐出口から吐出された冷気により前記密閉容器内の貯蔵物を間接冷却して第１隔離室を周囲の前記冷蔵室内よりも低温に維持する冷蔵庫において、前記流出口を第１隔離室の側方に配置したことを特徴とする冷蔵庫。
【請求項２】
氷点以下に維持して製氷皿が配される製氷室と、前記冷蔵室内に配して前記製氷皿に給水する着脱可能な給水タンクとを備え、前記流出口を前記給水タンクと第１隔離室との間に設けたことを特徴とする請求項１に記載の冷蔵庫。
【請求項３】
第１隔離室の側方に隣接するとともに貯蔵物の収納ケースを配した第２隔離室を備え、前記流出口を第２隔離室に設けたことを特徴とする請求項１または請求項２に記載の冷蔵庫。
【請求項４】
前記収納ケースが鶏卵を収納するポケットを有することを特徴とする請求項３に記載の冷蔵庫。
【発明の詳細な説明】
【技術分野】
【０００１】
本発明は、冷蔵室内において周囲よりも低温に維持する隔離室を有した冷蔵庫に関する。
【背景技術】
【０００２】
従来の冷蔵庫は特許文献１に開示される。この冷蔵庫は、冷蔵室の下部に密封容器（低圧室）が出し入れされる隔離室を備える。また、冷蔵室の背後に冷却器で生成した冷気が流通する冷気通路を備える。冷気通路は隔離室に冷気を吐出する第１吐出口と冷蔵室に冷気を吐出する第２吐出口とを有する。圧縮機の駆動により冷却器で生成された冷気は送風機の運転によって隔離室及び冷蔵室に送出される。第１吐出口から吐出された冷気は密封容器の周囲を流通し、密封容器内の貯蔵物が間接冷却される。このとき、第１吐出口が第２吐出口の上流に配されており、冷蔵室内において隔離室の内部が周囲よりも低温に維持される。これにより、密封容器内の貯蔵物の乾燥を抑制して貯蔵物が低温で保存される。
【先行技術文献】
【特許文献】
【０００３】
【特許文献１】特開２０１２−２１６５５号公報
【発明の概要】
【発明が解決しようとする課題】
【０００４】
しかしながら、上記特許文献に開示された冷蔵庫によると、隔離室内に配した密封容器内の貯蔵物を間接冷却するため、隔離室内の貯蔵物を直接冷却する場合に比して第１吐出口から低温の冷気が吐出される。これにより、隔離室の側方に配された貯蔵物が凍結する問題があった。
【０００５】
本発明は、密封容器により貯蔵物の乾燥を防止するとともに隔離室の側方の貯蔵物の凍結を防止できる冷蔵庫を提供することを目的とする。
【課題を解決するための手段】
【０００６】
上記目的を達成するために本発明の冷蔵庫は、貯蔵物を冷蔵保存する冷蔵室と、前記冷蔵室の下部に設けられるとともに密閉容器が出し入れされる第１隔離室と、冷気を生成する冷却器と、前記冷却器で生成した冷気が流通するとともに第１隔離室に冷気を吐出する第１吐出口と第１吐出口の下流で前記冷蔵室に冷気を吐出する第２吐出口とを有する冷気通路と、前記冷蔵室から冷気を流出させる流出口とを備え、第１吐出口から吐出された冷気により前記密閉容器内の貯蔵物を間接冷却して第１隔離室を周囲の前記冷蔵室内よりも低温に維持する冷蔵庫において、前記流出口を第１隔離室の側方に配置したことを特徴としている。
【０００７】
この構成によると、冷却器により生成された冷気によって第１隔離室及び冷蔵室が冷却される。また、第１隔離室及び冷蔵室の冷気は流出口を介して冷蔵室から流出する。このとき、流出口には冷気通路から吐出された後、冷蔵室内を流通して温度が上昇した冷気が導かれる。
【０００８】
また、本発明は上記構成の冷蔵庫において、氷点以下に維持して製氷皿が配される製氷室と、前記冷蔵室内に配して前記製氷皿に給水する着脱可能な給水タンクとを備え、前記流出口を前記給水タンクと第１隔離室との間に設けたことを特徴としている。
【０００９】
また、本発明は上記構成の冷蔵庫において、第１隔離室の側方に隣接するとともに貯蔵物の収納ケースを配した第２隔離室を備え、前記流出口を第２隔離室に設けたことを特徴としている。
【００１０】
また、本発明は上記構成の冷蔵庫において、前記収納ケースが鶏卵を収納するポケットを有することを特徴としている。
【発明の効果】
【００１１】
本発明によると、冷却器により生成された冷気によって第１隔離室及び冷蔵室が冷却される。また、第１隔離室及び冷蔵室の冷気は流出口を介して冷蔵室から流出する。このとき、流出口には冷気通路から吐出された後、冷蔵室内を流通して温度が上昇した冷気が導かれる。流出口は第１隔離室の側方に配置されており、第１隔離室の側方の温度低下が抑えられる。したがって、第１隔離室の側方に配された貯蔵物が凍結するのを防止しながら、密封容器内の貯蔵物を間接冷却することができる。
【図面の簡単な説明】
【００１２】
【図１】本発明の実施形態の冷蔵庫を示す正面図
【図２】本発明の実施形態の冷蔵庫の一部を示す斜視図
【図３】本発明の実施形態の冷蔵庫の冷気の流れを示す正面図
【発明を実施するための形態】
【００１３】
以下に本発明の実施形態を図面を参照して説明する。図１は本実施形態の冷蔵庫を示す正面図である。冷蔵庫１は、上段に冷蔵室２が配され、中段に製氷室３、第１冷凍室４、第２冷凍室６が配される。製氷室３と第１冷凍室４は並列して配され、製氷室３と第１冷凍室４の下方に第２冷凍室６が配される。冷蔵庫１の最下段には野菜室５が配される。野菜室５と冷蔵室２は通風路３３（図３参照）を介して連通している。
【００１４】
冷蔵室２は観音開きの扉を有し、貯蔵物を冷蔵保存する。製氷室３は製氷皿（不図示）を備え、氷点以下に維持して製氷が行われる。第１冷凍室４及び第２冷凍室６は製氷室３に連通して貯蔵物を冷凍保存する。野菜室５は野菜の貯蔵に適した温度（約８℃）に維持される。なお、冷蔵室２の扉は観音開きの扉には限定されず、一枚扉を用いてもよい。
【００１５】
図２は冷蔵庫１の冷蔵室２の一部を示す斜視図である。冷蔵室２内の下部には第１隔離室（チルド室）２３と第２隔離室２６とが隣接して設けられている。また、第２隔離室２６の側方には給水タンク２４が設けられている。
【００１６】
第１隔離室２３の内部には貯蔵物を密封して収納する密封容器２３ａが設けられる。また、第１隔離室２３の背後には吐出口３２ａ（第１吐出口）が設けられる。吐出口３２ａから吐出された冷気により、密封容器２３ａの外面が冷却される。これにより、密封容器２３ａ内の貯蔵物が間接冷却される。このとき、密封容器２３ａにより貯蔵物の乾燥を防止することができる。なお、第１隔離室２３はチルド温度帯（約０℃）に維持される。
【００１７】
第２隔離室２６の上段には収納ケース２５ａが配され、収納ケース２５ａの下段には収納ケース２５ｂが配される。収納ケース２５ａには鶏卵を収納するポケット（不図示）が設けられる。また、収納ケース２５ｂにはパックされた調味料等の小物を収納するポケット（不図示）が設けられる。第２隔離室２６の背後には流出口３３ａが設けられ、冷蔵室２内の冷気が流出口３３ａから流出する。流出口３３ａは通風路３３（図３参照）に連通する。
【００１８】
図３は冷蔵庫１の冷気の流れを示す正面図である。第２冷凍室６の背後には冷気通路３１が設けられ、冷蔵室２の背後には冷気通路３２が設けられる。冷気通路３１の上部が冷蔵室ダンパ２７を介して冷気通路３２に連通している。冷蔵室ダンパ２７の開閉量によって冷気通路３１から冷気通路３２に流入する風量が調整される。
【００１９】
冷気通路３２は吐出口３２ａ（第１吐出口）と吐出口３２ｂ（第２吐出口）を有する。吐出口３２ａは第１隔離室２３に冷気を吐出する。吐出口３２ｂは冷蔵室２内において第１隔離室２３よりも上方に冷気を吐出する。また、冷気通路３１は吐出口３１ａ、吐出口３１ｂ、吐出口３１ｃを有する。吐出口３１ａは製氷室３に冷気を吐出し、吐出口３１ｂは第１冷蔵室４に冷気を吐出する。吐出口３１ｃは第２冷凍室６に冷気を吐出する。
【００２０】
冷気通路３１内には圧縮機（不図示）に接続された冷却器１７が配される。凝縮器、膨張器（いずれも不図示）が接続された圧縮機の駆動によりイソブタン等の冷媒が循環して冷凍サイクルが運転される。これにより、冷凍サイクルの低温側となる冷却器１７との熱交換により冷気が生成される。
【００２１】
また、冷気通路３１内には送風機１８が配される。冷却器１７で生成された冷気は送風機１８の駆動により冷気通路３１を介して製氷室３、第１冷凍室４、第２冷凍室６に供給される。これにより、製氷室３、第１冷凍室４及び第２冷凍室６が冷却される。
【００２２】
冷気通路３２に流入した冷気は吐出口３２ａから第１隔離室２３に吐出され、吐出口３２ｂから冷蔵室２に吐出される。このとき、吐出口３２ａは吐出口３２ｂより上流に配されており、第１隔離室２３に第１離隔室２３の周囲の冷蔵室２内よりも低い温度の冷気が吐出される。これにより、第１隔離室２３を周囲の冷蔵室２内よりも低温に維持することができる。
【００２３】
吐出口３２ｂから冷蔵庫２に吐出された冷気は下方に流通して流出口３３ａから通風路３３に流入する。通風路３３に流入した冷気は野菜室５に導かれる。このとき、流出口３３ａには冷気通路３２から吐出された後、冷蔵室２内を流通して温度が上昇した冷気が導かれる。流出口３３ａは第１隔離室２３の側方に配置されており、流出口３３ａに流通する冷気によって第１隔離室２３の側方の温度低下が抑えられる。これにより、第１隔離室２３の側方に配された貯蔵物が凍結するのを防止することができる。
【００２４】
また、流出口３３ａは給水タンク２４と第１隔離室２３との間に設けられており、給水タンク２４内に貯蔵した水が凍結するのを防止することができる。また、第２隔離室２６内に流出口３３ａを設けたことにより、収納ケース２５ａ、２５ｂ内に収納された鶏卵等が凍結するのを防止することができる。
【００２５】
野菜室５に流入した冷気は野菜室５内を流通して戻り通路（不図示）を介して冷却器１７に戻る。これにより、冷蔵室２及び野菜室５内が冷却され、設定温度になると冷蔵室ダンパ２７が閉じられる。
【００２６】
本実施形態によると、冷却器１７により生成された冷気によって第１隔離室２３及び冷蔵室２が冷却される。また、第１隔離室２３及び冷蔵室２の冷気は流出口３３ａを介して冷蔵室２から流出する。このとき、流出口３３ａには冷気通路から吐出された後、冷蔵室２内を流通して温度が上昇した冷気が導かれる。流出口３３ａは第１隔離室２３の側方に配置されており、流出口３３ａに流通する冷気によって第１隔離室２３の側方の温度低下が抑えられる。したがって、第１隔離室２３の側方に配された貯蔵物が凍結するのを防止しながら、密封容器２３ａ内の貯蔵物を間接冷却することができる。このとき、密封容器２３ａにより貯蔵物の乾燥を防止することができる。
【００２７】
また、流出口３３ａを給水タンク２４と第１隔離室２３との間に設けることにより、給水タンク２４内に貯蔵された水が凍結するのを防止することができる。また、第１隔離室２３の側方に隣接するとともに貯蔵物の収納ケース２５ａ、２５ｂを配した第２隔離室２６に流出口３３ａを設けることにより収納ケース２５ａ、２５ｂの貯蔵物が凍結するのを防止することができる。また、収納ケース２５ａが鶏卵を収納するポケット（不図示）を有することにより、収納ケース２５ａ内の鶏卵が凍結するのを防止することができる。
【産業上の利用可能性】
【００２８】
本発明によると、密封容器の貯蔵物を間接冷却する第１隔離室（チルド室）を備える冷蔵庫に利用することができる。
【符号の説明】
【００２９】
１              冷蔵庫
２              冷蔵室
３              製氷室
４              第１冷凍室
５              野菜室
６              第２冷凍室
１７            冷却器
１８            送風機
２３            第１隔離室
２３ａ          密封容器
２４            給水タンク
２５ａ、２５ｂ  収納ケース
２６            第２隔離室
２７            冷蔵室ダンパ
３１、３２      冷気通路
３２ａ          吐出口（第１吐出口）
３２ｂ          吐出口（第１吐出口）
３３            通風路
３３ａ          流出口
【図１】
2014059092.tif 000003
【図２】
2014059092.tif 000004
【図３】
2014059092.tif 000005